(57)【要約】【課題】底板の紛失を防ぐとともに、メダル自動回収装置の回収位置に合わせて、底板の開口位置を柔軟に設定することができるメダル補助収納ケースを備えた遊技台を提供する。【解決手段】メダル補助収納ケース２４０は、上部及び底部を開口させた箱体のケース本体２５０と、ケース本体の底部の開口を閉じるケース底板２６０と、を備え、ケース本体２５０は、対向する長手側面上それぞれにＴ字状の案内孔２５４を形成し、ケース底板２６０の支持棒２６２を、底部を全閉状態とする第１の位置（Ｐ１）と、底部を一部開口状態とする２つの第２の位置（Ｐ２，Ｐ３）との間で移動可能とし、第２の位置それぞれでは、底部の開口位置が異なるメダル排出孔２４３を形成する一方、両先端に抜止部材を突設させている支持棒２６２を案内孔２５４から取り外し困難に支持する。【選択図】図９
2010069028.tif 000002
【特許請求の範囲】
【請求項１】
メダルタンクに貯蔵されたメダルを排出するメダル払出装置と、前記メダルタンクから溢れたメダルを収納するメダル補助収納ケースと、を備え、
前記メダル補助収納ケースは、
上部及び底部を開口させた箱体のケース本体と、前記ケース本体の底部の開口を閉じるケース底板と、を備え、
メダル自動回収装置に接続される場合には、前記ケース底板を移動させて前記ケース本体の底部の開口をメダル排出口とすることで前記メダル補助収納ケースをメダルの排出用途とし、前記メダル補助収納ケースが載置される載置板には、前記メダル自動回収装置が接続された位置に対応する位置に開口を形成し、前記メダル排出口および前記載置板の開口を経由して前記メダル自動回収装置にメダルを排出する遊技台であって、
前記ケース底板は、
前記ケース本体に係止される底板係止部を備え、
前記ケース本体は、
係止された底板係止部を支持する本体支持部を備え、
前記本体支持部は、
前記底板係止部を、前記ケース底板が前記底部の開口の全てを閉じる第１の位置と、ケース底板が前記底部の開口の一部を閉じる複数の第２の位置との間で移動可能、かつ、取り外し困難に支持し、
前記複数の第２の位置それぞれにおいては、
前記底部の開口位置が異なる前記メダル排出孔が形成されることを特徴とする遊技台。
【請求項２】
前記本体支持部は、
前記第１の位置から前記第２の位置まで連通する案内孔として、前記ケース本体の両長手側面上の対向する位置にそれぞれ形成され、
前記底板係止部は、
前記ケース底板の両側面から突出して、対向する前記案内孔上を移動可能であるとともに、対向する前記案内孔に係止可能な支持部材と、
前記ケース本体の外側に突出した前記支持部材の両先端に、前記案内孔の幅より大きな外形寸法を有する抜止部材と、
を備え、
前記ケース底板は、
前記支持部材を支軸として姿勢を変化可能とすることを特徴とする請求項１記載の遊技台。
【請求項３】
前記ケース底板は、
前記底板係止部が前記第２の位置にある場合には、前記ケース本体に傾斜して支持され、前記底部に形成されたメダル排出孔にメダルを案内誘導することを特徴とする請求項２記載の遊技台。
【請求項４】
前記ケース底板は、
その長手端部に前記ケース本体の短手側面に係止する係止突部を備えることを特徴とする請求項２又は３記載の遊技台。
【請求項５】
前記底板係止部が前記第２の位置にあるときに形成される複数のメダル排出孔は、それぞれ、前記底部の開口位置は異なるが、開口面積は同一であることを特徴とする請求項１乃至４のいずれか１項に記載の遊技台。
【発明の詳細な説明】
【技術分野】
【０００１】
本発明は、スロットマシン（パチスロ）に代表される遊技台に関し、特に遊技台のメダル補助収納ケースに関する。
【背景技術】
【０００２】
遊技台（例えば、スロットマシン）は、メダルを投入してスタートレバーを操作することでリールを回転させるとともに、内部抽選によって役を内部決定し、ストップボタンを操作することでリールを停止させた時に、図柄表示窓上に内部決定に応じて予め定められた図柄の組合せが表示されると役が成立するように構成されている。そして、メダルの払出を伴う役が成立した場合には、遊技台の内部に設けられたメダル払出装置が駆動して、規定数のメダルが払い出されるようになっている。
【０００３】
遊技台は、一般に、メダル払出口から規定数のメダルを払い出すメダル払出装置（ホッパ）と、このメダル払出装置に隣接して設けられ、メダル払出装置から溢れたメダルを収容するメダル補助収納ケースと、を具備している。そして、遊技台が設置される島に、メダル払出装置にメダルを自動的に補給するメダル自動補給装置、及びメダル払出装置から溢れたメダルを自動的に回収するメダル自動回収装置が付設される場合、すなわち、島設備がメダル自動補給機能及びメダル自動回収機能を備えている場合には、メダル払出装置内にメダルの有無を検出するセンサが取り付けられて、メダル払出装置内のメダルが一定量以下になったときには、メダル自動補給装置がメダル払出装置にメダルを補給する一方、遊技台の底板、及びメダル補助収納ケースの底板を開口させた状態で使用し、メダルがメダル払出装置から溢れたときには、メダル補助収納ケースに収納されるメダルをそのままメダル自動回収装置の回収口に排出するようになっている。
【０００４】
ここで、メダル自動回収装置の回収口は島設備によりその位置が一定でないため、遊技台側では、回収口の位置に合わせて、遊技台の底板、及びメダル補助収納ケースの底板を開口させる必要がある。この点、特許文献１には、メダル自動回収装置の回収口の位置に合わせて、開口位置を適宜変更し得るように構成した遊技機が開示されている。
【０００５】
【特許文献１】特開２００５−１７７１７８号公報
【発明の開示】
【発明が解決しようとする課題】
【０００６】
しかしながら、昨今、遊技台に関してもリサイクル性が要求されている。上述した特許文献１に記載の遊技機においては、メダル補助収納ケースの底板をケース本体に着脱可能な複数の分割プレートとして構成しているため、遊技店から遊技台を回収した場合に、メダル補助収納ケースの底板が回収されない可能性がある。すなわち、メダル補助収納ケースの底板を本体に着脱可能な構成とし、島設備がメダル自動補給機能及びメダル自動回収機能を具備する場合には、遊技店側はメダル補助収納ケースの底板を取り外した状態で遊技台を使用するので、取り外した補助収納ケースの底板を紛失している事態が予想される。これでは、遊技台を回収したとしても補助収納ケースの底板を新たに用意しなければならず、リサイクルの趣旨を貫徹することができないとともに、コストアップにもつながってしまう。
【０００７】
本発明は、上記の事情を鑑みてなされたものであり、底板の紛失を防ぐとともに、メダル自動回収装置の回収位置に合わせて、底板の開口位置を柔軟に設定することができるメダル補助収納ケースを備えた遊技台を提供することを目的とする。
【課題を解決するための手段】
【０００８】
上記目的を達成するため、本発明に係る遊技台は、次のように構成される。
【０００９】
本発明に係る遊技台は、その一態様として、メダルタンクに貯蔵されたメダルを排出するメダル払出装置と、前記メダルタンクから溢れたメダルを収納するメダル補助収納ケースと、を備え、前記メダル補助収納ケースは、上部及び底部を開口させた箱体のケース本体と、前記ケース本体の底部の開口を閉じるケース底板と、を備え、メダル自動回収装置に接続される場合には、前記ケース底板を移動させて前記ケース本体の底部の開口をメダル排出口とすることで前記メダル補助収納ケースをメダルの排出用途とし、前記メダル補助収納ケースが載置される載置板には、前記メダル自動回収装置が接続された位置に対応する位置に開口を形成し、前記メダル排出口および前記載置板の開口を経由して前記メダル自動回収装置にメダルを排出する遊技台であって、前記ケース底板は、前記ケース本体に係止される底板係止部を備え、前記ケース本体は、係止された底板係止部を支持する本体支持部を備え、前記本体支持部は、前記底板係止部を、前記ケース底板が前記底部の開口の全てを閉じる第１の位置と、ケース底板が前記底部の開口の一部を閉じる複数の第２の位置との間で移動可能、かつ、取り外し困難に支持し、前記複数の第２の位置それぞれにおいては、前記底部の開口位置が異なる前記メダル排出孔が形成されることを特徴とする。
【００１０】
本発明の一態様においては、メダル補助収納ケースのケース本体は、ケース底板を、底部を全閉状態とする第１の位置と、底部を一部開口状態とする第２の位置との間で移動可能、かつ、取り外し困難に支持し、第２の位置においては底部の開口位置が異なる複数のメダル排出孔を形成するので、底板の紛失を防ぐとともに、メダル自動回収装置の回収位置に合わせて、底板の開口位置を柔軟に設定することができる。
【００１１】
また、前記本体支持部は、前記第１の位置から前記第２の位置まで連通する案内孔として、前記ケース本体の両長手側面上の対向する位置にそれぞれ形成され、前記底板係止部は、前記ケース底板の両側面から突出して、対向する前記案内孔上を移動可能であるとともに、対向する前記案内孔に係止可能な支持部材と、前記ケース本体の外側に突出した前記支持部材の両先端に、前記案内孔の幅より大きな外形寸法を有する抜止部材と、を備え、前記ケース底板は、前記支持部材を支軸として姿勢を変化可能とすることが好ましい。これにより、ケース底板の支持部材を案内孔の第１の位置から前記第２の位置まで移動可能とするとともに、ケース本体から脱抜困難としているので、簡単な構造で、底板の紛失を防ぐとともに、底板の開口位置を柔軟に設定することができる。
【００１２】
また、前記ケース底板は、前記底板係止部が前記第２の位置にある場合には、前記ケース本体に傾斜して支持され、前記底部に形成されたメダル排出孔にメダルを案内誘導することが好ましい。これにより、底板係止部が第２の位置にある場合には、ケース底板は傾斜してケース本体に支持されるので、この傾斜を利用して、メダルをスムースにメダル排出孔に案内誘導することができる。
【００１３】
また、前記ケース底板は、その長手端部に前記ケース本体の短手側面に係止する係止突部を備えてもよい。これにより、ケース底板は傾斜姿勢を保ったまま、ケース本体により確実に支持される。
【００１４】
また、前記底板係止部が前記第２の位置にあるときに形成される複数のメダル排出孔は、それぞれ、前記底部の開口位置は異なるが、開口面積は同一であってもよい。これにより、メダル自動回収装置の回収口がどこに取り付けられたとしても、対応可能であり、同じ大きさのメダル排出孔を形成することができる。
【発明の効果】
【００１５】
本発明によれば、底板の紛失を防ぐとともに、メダル自動回収装置の回収位置に合わせて、底板の開口位置を柔軟に設定することができるメダル補助収納ケースを備えた遊技台を提供することができる。
【発明を実施するための最良の形態】
【００１６】
以下、本発明の実施の形態について図面を用いて説明する。
【００１７】
（第１実施形態）
＜全体構成＞
図１は、本発明の一実施形態に係るスロットマシン１００の外観斜視図である。スロットマシン１００は、メダルの投入により遊技が開始され、遊技の結果によりメダルが払い出されるものである。
【００１８】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施形態では、３個のリールをスロットマシン１００の中央内部に備えているが、リールの数やリールの設置位置はこれに限定されるものではない。
【００１９】
また、図柄表示窓１１３の外枠には、点滅や点灯などの点灯制御によって、後述する有効ラインや入賞ラインを報知するためのライン表示ＬＥＤ（図示省略）が配置されている。
【００２０】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００２１】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２２】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入なしに、前回遊技で投入した枚数と同じ枚数のメダルを投入したものとして遊技可能であること）を遊技者に知らせるランプである。告知ランプ１２３は、後述する内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。
払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２３】
メダル投入ボタン（ベットボタン）１３０、１３１は、スロットマシン１００に電子的に貯留されているメダル（クレジットという）を所定の枚数分投入するためのボタンである。本実施形態においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。
【００２４】
精算ボタン１３２は、スロットマシン１００に電子的に貯留されたメダル及びベットされたメダル（ベットされているが、未だ遊技に使用されていないメダル）を精算し、メダル払出口１５５よりメダル受皿１５６に排出するためのボタンである。ここで、精算とは、遊技に使用する遊技媒体（例えば、メダル）を遊技者に返却することを意味し、遊技に使用する遊技媒体には、上述したように、電子的に貯留された遊技媒体と、ベットされているが未だ遊技に使用されていない遊技媒体と、を含んでもよいし、また、電子的に貯留された遊技媒体だけであってもよい。メダル返却ボタン１３３は、投入されたメダルが詰まった場合に押下してメダルを取り除くためのボタンである。
【００２５】
スタートレバー１３５は、遊技の開始操作を行うためのレバー型のスイッチである。すなわち、メダル投入口１３４に所望する枚数のメダルを投入して、スタートレバー１３５を操作すると、これを契機としてリール１１０〜１１２が回転し、遊技が開始される。ストップボタンユニット１３６に設けられたストップボタン１３７〜１３９は、スタートレバー１３５の操作によって回転を開始したリール１１０〜１１２を個別に停止させるためのボタン型のスイッチであり、各リール１１０〜１１２に対応して設けられている。そして、いずれかのストップボタン１３７〜１３９を操作すると対応するいずれかのリール１１０〜１１２が停止することになる。
【００２６】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施形態では発光可能な受皿を採用している。
【００２７】
上部ランプ１５０、サイドランプ１５１、中央ランプ１５２、腰部ランプ１５３、下部ランプ１５４は、遊技を盛り上げるための装飾用のランプである。演出装置６００は、例えば開閉自在な扉装置（シャッター）１６３が前面に取り付けられた液晶表示装置１５７を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれている。
【００２８】
＜筐体内部の構成＞
次に、スロットマシン１００の筐体内部の構成について簡単に説明する。図２は、スロットマシン１００の前面扉１０２を開放した状態（かつ、右側面板の下方一部を欠截した状態）の斜視図である。本体１０１の内部には、主基板収納ケース２１０、副制御基板収納ケース２２０及びリールユニット１８５や、図示を省略した電源ボックス、メダル払出装置１８０、メダル補助収納ケース２４０、中央スピーカユニット、外部中継端子板等の諸装置が配設されている。
【００２９】
リールユニット１８５は、樹脂製のケース２２１内にステッピングモータで駆動されるリール１１０〜１１２を個別に着脱可能に取り付けて構成している。そして、このリールユニット１８５は、ケース２２１により３本のリールをユニット化し、本体１０１に設けたリールユニット載置台２７８に対する着脱を容易に行えるように構成している。また、リールユニット載置台２７８の下部には、音通路２７７が取り付けられ、前面扉１０２が本体１０１に閉じられた状態で前面扉１０２に取り付けられた音通路２６８と組み合わさるように構成している。中央スピーカユニットから出力された音は、この音通路２７７および音通路２６８を通過して外部に出力される。
【００３０】
本体１０１の内部には、透明な樹脂ケースからなる基板収納ケースが、本体１０１を構成している後板の上部に取り付けられている。この主基板収納ケース２１０の内部空間には、スロットマシン１００の全体的な制御を行う主制御部３００を構成する電気部品を実装した主制御基板が収納されている。
【００３１】
また、図示を省略した電源ボックスは、本体１０１の後板の壁面に装着され、金属製ケースの内部に、スロットマシン１００の諸装置へ必要な電力を供給するための電源基板が収納されている。
【００３２】
さらに、本体１０１の内部下方には、メダルを払い出すためのメダル払出装置１８０（以下、ホッパー１８０ということがある）が配設されている。メダル払出装置１８０は、ＤＣモータで駆動されメダルを１枚ずつ払い出すと共に、メダルを払い出す毎に検出信号を出力する払出装置本体１８２と、払出装置本体１８２にメダルを供給するとともにメダルを蓄積するメダルタンク１８１とで構成される。そして、メダル払出装置１８０の横には、メダル補助収納ケース２４０が置かれており、メダル払出装置１８０がメダルでいっぱいになると、余分なメダルは流れ落ち、このメダル補助収納ケース２４０内に蓄積される。
【００３３】
また、前記主制御基板及びリール１１０〜１１２の側方、すなわち向って左側の側板には、副制御部４００を構成する電気部品を実装した副制御基板を収納した副基板収納ケース２２０が配設してある。
【００３４】
一方、本体１０１の側板にヒンジ装置２７６を介して蝶着された前面扉１０２には、演出装置６００、この演出装置６００を制御する演出制御基板を収納した演出制御基板収納ケース２７４、上部スピーカ２７２、図柄表示窓１１３を有するリールパネル２７０、投入されたメダルを選別するためのメダルセレクタ１７０、このメダルセレクタ１７０が不正なメダル等をメダル受皿１５６に落下させる際にメダルが通過する通路２６６等が設けてある。メダルセレクタ１７０は、さらに、投入されたメダルをメダルタンク（バケット）１８１に案内する通路２６７を備えている。
【００３５】
＜メダル払出装置＞
次に、図３及び図４を参照して、メダル払出装置１８０の構成について詳しく説明する。ここで、図３（ａ）は、メダル払出装置１８０の外観斜視図であり、図３（ｂ）は、メダル払出装置１８０の一部を欠截した断面斜視図である。また、図４は、スロットマシン１００の内部に配設されたメダル払出装置１８０及びメダル補助収納ケース２４０を右側から見たときの側面図である。
【００３６】
メダル払出装置１８０の概略は、メダルを蓄積するメダルタンク１８１と、メダルをメダル払出口１８１１へ導く案内手段と、この案内手段を駆動させる駆動手段と、を備えている。
【００３７】
すなわち、メダル払出装置１８０が備えるメダルを蓄積するメダルタンク１８１は、上方が開口すると共に、底面１８１２が傾斜する箱状であって、底面１８１２にはメダルを案内手段へ導く導出口（図示せず）を有している。また、メダルをメダル払出口１８１１へ導く案内手段は、メダルが一枚ずつ嵌入する嵌入孔１８２３を備えるディスク１８２１であって、このディスク１８２１がモータ１８３１を駆動源として回転することにより、嵌入孔１８２３に嵌入しているメダルを、メダル払出口１８１１から排出させる。
【００３８】
更に、メダルタンク１８１の側面には、当該メダルタンク１８１に収容しきれなくなったメダルを、メダル補助収納ケース２４０に排出するための排出口１８１３が開設してある。なお、モータ１８３１やディスク１８２１はフレーム１８１４に組み付けられており、ディスク１８２１を回転可能に支持している払出装置本体１８２も、傾斜状に位置しており、ディスク１８２１もまた傾斜面において回転するように構成してある。もちろん、ディスク１８２１を水平面において回転するように構成してもよい。また、メダルが一枚ずつ嵌入する嵌入孔１８２３は、切欠部であってもよい。
【００３９】
また、本実施形態においては、島設備がメダル自動補給機能を備えており、メダル払出装置１８０には、図４に示すように、スロットマシン１００の本体背板１０１１に穿設された取付孔を介して、メダル自動補給装置８００の供給口８０１が挿入されているとともに、自動補給センサ８０３が配設されている。メダル自動補給装置８００より供給されるメダルは、供給口８０１から下方に落下し、メダルタンク１８１内に蓄積される。自動補給センサ８０３は、メダルタンク１８１に蓄積されたメダルが所定量に達したか否かを検知するセンサであり、メダルタンク１８１内のメダルが不足し、メダル自動補給装置８００がメダルを補給する際には、当該自動補給センサ８０３がメダルの所定量を検知するまでメダルを補給し、メダルが所定量に達すると、メダルの補給を停止するようになっている。なお、メダルタンク１８１からオーバーフローしたメダルは、排出口１８１３を介して、メダル補助収納ケース２４０に落下して、回収される。
【００４０】
＜メダル補助収納ケース＞
次に、図５〜図９を用いて、メダル補助収納ケース２４０の構成について説明する。図５は、メダル補助収納ケース２４０の外観斜視図であり、図６（ａ）は、メダル補助収納ケース２４０を本体１０１に設置した状態の外観斜視図、図６（ｂ）は、メダル補助収納ケース２４０を本体１０１から取り外した状態の外観斜視図である。図７は、メダル補助収納ケース２４０及び本体底板１０１２の開口位置とメダル自動回収装置９００の回収口９０１との位置関係を示す側面図であり、図７（ａ）は、前方位置にメダル自動回収装置９００の回収口９０１が配設される場合、図７（ｂ）は、後方位置にメダル自動回収装置９００の回収口９０１が配設される場合の側面図である。図８は、メダル補助収納ケース２４０のケース底板２６０の外観図であり、図８（ａ）は、ケース底板２６０の外観斜視図、側面図、及び下面図であり、図８（ｂ）は、ケース底板２６０の支持棒２６２の分解斜視図である。図９は、メダル補助収納ケース２４０のケース底板２６０が底面にメダル排出孔２４３を形成している状態を示す図であり、図９（ａ）は、後方底面にメダル排出孔２４３を形成している状態のメダル補助収納ケース２４０の外観斜視図、図９（ｂ）は、前方底面及び後方底面にメダル排出孔２４３を形成したときのケース底板２６０のそれぞれの位置を示す側面図及びメダル排出孔２４３の位置を示す上面図である。
【００４１】
メダル補助収納ケース２４０は、図５及び図６に示すように、本体１０１に着脱自在な、上方が開口するやや下すぼみの箱体であって、本体１０１に設置されるときは本体底板１０１２の上に載置される。
【００４２】
詳しくは、メダル補助収納ケース２４０は、上方を開口し、メダルタンク１８１の排出口１８１３から排出されたメダルを取り入れるケース本体２５０と、ケース本体２５０の底面を形成するとともに、その底面にメダル排出口２４３を形成し、ケース本体２５０に取り入れたメダルをメダル自動回収装置９００に案内するケース底板２６０と、を備えている。すなわち、メダル補助収納ケース２４０は、島設備がメダル自動回収機能を備えていない場合、及び備えている場合の双方に対応可能であり、島設備がメダル自動回収機能を備えていない場合には、ケース本体２５０の底面を閉じて、メダルを貯留させるメダル貯留庫としての機能を有する一方、島設備がメダル自動回収機能を備えている場合には、メダル自動回収装置９００の回収口９０１に対応する位置に底面を開口させて、メダルタンク１８１から溢れたメダルをメダル自動回収装置９００に誘導案内する案内部材としての機能を有している。
【００４３】
なお、本実施形態では、図７に示すように、島設備はメダル自動回収機能を備えており、本体底板１０１２の下方には、回収口９０１を上方に向けたメダル自動回収装置９００が配設されている。具体的には、図７（ａ）に示すように、前方位置に回収口９０１が配設されている場合には、メダル補助収納ケース２４０は、底面の前方位置にメダル回収孔２４３を開口させ、また、図７（ｂ）に示すように、後方位置に回収口９０１が配設されている場合には、メダル補助収納ケース２４０は、底面の後方位置にメダル回収孔２４３を開口させて、メダルタンク１８１から溢れたメダルをメダル自動回収装置９００に排出するようになっている。
【００４４】
勿論、メダル補助収納ケース２４０を本体１０１に設置した状態において、メダル補助収納ケース２４０の底面下方に位置する本体底板１０１２上には、メダル自動回収装置９００の回収口９０１（メダル補助収納ケース２４０のメダル回収孔２４３）の位置に合わせて、排出孔１０１３が穿設可能に形成されている。具体的には、メダル補助収納ケース２４０を載置する載置板としての本体底板１０１２は、図６（ｂ）に示すように、前後方向に２つの排出孔１０１３ａ及び１０１３ｂを備えており、前方位置に回収口９０１が配設されている場合には、図６（ｂ）及び図７（ａ）に示すように、排出孔１０１３ａを穿設し、また、後方位置に回収口９０１が配設されている場合には、図６（ｂ）及び図７（ｂ）に示すように、排出孔１０１３ｂを穿設する。
【００４５】
ケース本体２５０は、上方に開口２４１を有する断面略ロ字状の側面部２５１と、長手方向の両端部を除いてほぼ面全体に矩形の開口孔２４２を形成した底面部２５２と、から構成されている。側面部２５１のうち、一方の短手側面２５１ａには、２つの挿通口２５３が穿設されており、図６に示すように、メダル補助収納ケース２４０をスロットマシン１００の前面方向から本体１０１に設置する場合には、この挿通口２５３が形成された短手側面２５１ａを後方に向けて、本体１０１に配設する。
【００４６】
ケース本体２５０の短手側面２５１ａに穿設された挿通口２５３には、図６に示すように、本体背板１０１１に配設されたオーバーフローセンサ３２７の接触端子７５１が挿通される。ここで、オーバーフローセンサ３２７は、メダル補助収納ケース２４０に貯留されたメダルが所定量に達したか否かを検知するセンサであり、メダル補助収納ケース２４０に貯留されたメダルがほぼ満杯になったときは、外部装置（ホールコンピュータ）に対してメダル満杯を示す信号を出力するようになっている。具体的には、メダル補助収納ケース２４０内のメダルが増えて、メダルが一対の接触端子７５１に接触すると両接触端子７５１は導通するので、この両接触端子７５１の導通により、スロットマシン１００はメダル補助収納ケース２４０のメダル満杯を検知するようになっている。すなわち、オーバーフローセンサ３２７は、実質的には、島設備がメダル自動回収機能を備えていない場合であって、メダル補助収納ケース２４０の底面部２５２の開口孔２４２を閉じた状態で使用するときに有効に機能するものである。
【００４７】
また、図５に示すように、メダル補助収納ケース２４０の両長手側面２５１ｂそれぞれには、対向位置にＴ字状の案内孔２５４が形成されており、ケース底板２６０の支持棒２６２が、この案内孔２５４に嵌合して、案内孔２５４上を移動可能となっている。この結果、ケース底板２６０は、支持棒２６２の動きに応じて、姿勢を変えつつケース本体２５０内を移動可能となっており、後述するように、ケース本体２５０に傾斜支持されることが可能である（図９参照）。なお、以下においては、案内孔２５４のうち、底面に垂直方向に形成された案内孔２５４を案内孔２５４ａ、水平方向に形成された案内孔２５４を案内孔２５４ｂと称して説明を行う。
【００４８】
ケース本体２５０の底面部２５２には、上述したように矩形状の開口孔２４２が穿設されており、図５に示すように、メダル補助収納ケース２４０の底面を全閉状態とする場合には、この開口孔２４２上にケース底板２６０が載置されて、開口孔２４２は塞がれるようになっている。一方、図９に示すように、メダル補助収納ケース２４０の底面を一部開口状態とする場合には、ケース底板２６０の長手方向の一端部を側面部２５１の上方開口縁に係止させるとともに、支持棒２６２を案内孔２５４ｂの一端または他端に係止させて、ケース底板２６０を傾斜支持し、開口孔２４２の一部をメダル排出孔２４３として形成するようになっている。なお、ケース底板２６０の配設位置とメダル排出孔２４３の形成位置の関係に関しては、詳しくは後述する。
【００４９】
ケース底板２６０は、図８に示すように、矩形状のプレート２６１と、プレート２６１の長手側面中央を短手方向に貫通する支持棒２６２と、プレート２６１の長手方向両端からそれぞれＬ字状に下方に突設された係止突部２６３と、を備えている。
【００５０】
プレート２６１は、開口孔２４２全体を覆う大きさを有する矩形状の金属または樹脂プレートであり、長手側面中央には、支持棒２６２を挿通させるための貫通孔２６４が形成されている。
【００５１】
支持棒２６２は、金属製の棒であり、さらに詳しくは、図８（ｂ）に示すように、円筒状の支持棒本体２６２ａと、支持棒本体２６２の両先端に螺合される円筒キャップ状の抜止部材２６２ｂと、から構成され、抜止部材２６２ｂの外径は支持棒本体２６２ａの外径よりもやや大きく形成されている。すなわち、支持棒本体２６２ａの外径は、案内孔２５４及び貫通孔２６４の内径よりもやや小さく形成される一方、抜止部材２６２ｂの外径は、案内孔２５４及び貫通孔２６４の内径よりもやや大きく形成されているので、支持棒２６２はプレート２６１から抜脱不可能であるとともに、支持棒２６２が案内孔２５４に沿って移動する際には、ケース底板２６０はケース本体２５１から抜脱不可能となっている。
【００５２】
なお、ケース底板２６０をケース本体２５０に取り付けるときは、まず、プレート２６１をケース本体２５０の開口２４１から底面部２５２に載置し、次いで、プレート２６１の貫通孔２６４を案内孔２５４ａの位置に合わせて、支持棒本体２６２ａを案内孔２５４ａ及び貫通孔２６４に挿通し、支持棒本体２６２ａを案内孔２５４ａ及び貫通孔２６４に挿通して支持棒本体２６２ａをケース本体２５０から突出させた状態で、長手側面２５１ｂの外側から抜止部材２６２ｂを支持棒本体２６２ａに螺合して固定する。
【００５３】
このように本実施形態においては、ケース底板２６０は、ケース本体２５０に着脱可能であるが、案内孔２５４に沿って移動及び支持される限りにおいては、ケース本体２５０から抜脱不可能となっている。
【００５４】
次に、図９を用いて、ケース底板２６０の配設位置とメダル排出孔２４３の形成位置との関係について、詳しく説明する。
【００５５】
図９（ａ）及び（ｂ）の左側に示すように、ケース底板２６０の支持棒２６２が案内孔２５４ｂの前方側一端Ｐ２に係止して支持されるときは、ケース底板２６０の係止突部２６３がケース本体２５０の前方側の短手側面２５１ａの上端に係止されて、ケース底板２６０は斜めの姿勢となるので、底面部２５２の開口孔２４２の後方半分が開口されたメダル排出孔２４３が形成されるとともに、ケース底板２６０はメダルをメダル排出孔２４３に導く傾斜案内路となっている。
【００５６】
一方、図９（ｂ）の右側に示すように、ケース底板２６０の支持棒２６２が案内孔２５４ｂの後方側一端Ｐ３に係止して支持されるときは、ケース底板２６０の係止突部２６３がケース本体２５０の後方側の短手側面２５０ａの上端に係止されて、ケース底板２６０は斜めの姿勢となるので、底面部２５２の開口孔２４２の前方半分が開口されたメダル排出孔２４３が形成されるとともに、ケース底板２６０はメダルをメダル排出孔２４３に導く傾斜案内路となっている。
【００５７】
このように本実施形態においては、ケース底板２６０の配設位置に応じて、開口位置が異なる２つのメダル排出孔２４３を形成することができる。すなわち、図７に示すように、メダル自動回収装置９００の回収口９０１の位置に応じて、ケース底板２６０の配設位置を設定することにより、回収口９０１の位置に応じたメダル排出孔２４３を形成することができる。なお、図９に示す２つのメダル排出孔２４３は、開口位置は前後に異なるが、開口面積は同一である。
【００５８】
また、本実施形態においては、ケース底板２６０の支持棒２６２は、Ｔ字状の案内孔２５４上、すなわち、ケース本体２５０の開口孔２４２を全閉とする第１位置（Ｐ１）からケース本体２５０の開口孔２４２を一部開口させる第２位置（Ｐ２、Ｐ３）との間の経路上を移動可能となっているが、経路上ではケース本体２５０から脱抜不可能に構成しているので、ケース底板２６０を移動させて開口位置が異なるメダル排出孔２４３を形成しつつも、ケース底板２６０を紛失することがない。
【００５９】
なお、本実施形態においては、支持棒２６２の両先端に円筒キャップ状の抜止部材２６２ｂを設けることにより、支持棒２６２が案内孔２５４から抜け出ないようにしたが、支持棒２６２が案内孔２５４から抜け出ない機構であれば、抜止部材２６２ｂはいかなる形状及び部材であってもよい。例えば、支持棒２６２の両先端に形成された挿入孔に割ピンを差し込むことによって、支持棒２６２の両先端に突出部を設け、これによって支持棒２６２が案内孔２５４から抜け出ないようにしてもよい。
【００６０】
また、本実施形態においては、ケース底板２６０の配設位置に応じて開口位置が異なる２つのメダル排出孔２４３を形成したが、開口位置は２つに限定されるものではなく、３つ以上のメダル排出孔２４３を形成するように案内孔２５４を構成してもよい。
【００６１】
図１０は、メダル排出孔２４３の開口位置が４箇所形成可能なメダル補助収納ケース２４０Ａの側面図であり、後方側にメダル排出孔２４３を形成するときの底板２５０の位置とメダル排出孔２４３の関係を示している。
【００６２】
図１０に示した案内孔２５４Ａは、概略Ｔ字状の孔を形成しているが、支持棒２６０が係止支持される支持位置を４つ（具体的には、Ｐ２、Ｐ３、Ｐ４、及びＰ５の４つ）備えている。詳しくは、Ｐ２、Ｐ３、Ｐ４、及びＰ５は、それぞれ、水平方向に形成された案内孔２５４Ａｂから下方に突出して穿設された孔の下端に位置し、Ｐ２及びＰ３は、案内孔２５４Ａｂの一端及び他端に形成され、Ｐ４はＰ２よりも長手方向やや中央寄り、Ｐ５はＰ３よりも長手方向やや中央寄りに形成されている。なお、図１０には支持棒２６０をＰ２及びＰ４で支持したときのメダル排出孔２４３の形成位置を示しているが、Ｐ３及びＰ５で支持したときも同様であり、メダル排出孔２４３の前後方向の位置が異なるだけである。
【００６３】
詳しくは、図１０に示すように、ケース底板２６０の支持棒２６２が案内孔２５４ＡのＰ２に係止して支持されるときは、ケース底板２６０の係止突部２６３がケース本体２５０の短手側面２５０ａの上端に係止され、ケース底板２６０の支持棒２６２が案内孔２５４ＡのＰ４に係止して支持されるときは、ケース底板２６０の係止突部２６３がケース本体２５０の短手側面２５０ａの段差部２５５に係止されて、ケース底板２６０はケース本体２５０Ａに傾斜支持される。
【００６４】
この結果、メダル補助収納ケース２４０Ａは、それぞれの支持位置に応じて、開口位置が異なる４つのメダル排出孔２４３を形成することができる。なお、本変形例では、図１０に示すように、開口位置だけでなく、開口面積も異ならせたメダル排出孔２４３を形成することができる。
【００６５】
＜制御部の回路構成＞
次に、図１１および図１２を用いて、スロットマシン１００の制御部の回路構成について説明する。
【００６６】
スロットマシン１００の制御部は、大別すると、遊技の中枢部分の制御、すなわち、スロットマシン１００の遊技進行に関する処理を実行する主制御部３００と、主制御部３００より送信された信号（制御コマンド）に応じて各種機器を制御、すなわち、演出に関する処理を実行する副制御部４００と、によって構成されている。
【００６７】
＜主制御部＞
まず、図１１を用いて、スロットマシン１００の主制御部３００について説明する。なお、同図は主制御部３００の回路ブロック図を示したものである。
【００６８】
主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００６９】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを８ＭＨｚ、タイマ回路３１５の分周値を１／２５６、ＲＯＭ３１２の分周用のデータを４７に設定した場合、この割り込みの基準時間は、２５６×４７÷８ＭＨｚ＝１．５０４ｍｓとなる。
【００７０】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算スイッチセンサ３２４、メダル払い出しセンサ３２６、オーバーフローセンサ３２７、及びリセットスイッチ３２８の状態を検出し、各センサを監視している。
【００７１】
メダル投入センサ３２０は、メダル投入口１３４の内部の通路に設置されており、メダル投入口１３４に投入されたメダルを検出するためのセンサである。スタートレバーセンサ３２１はスタートレバー１３５の操作を検出するためのセンサである。ストップボタンセンサ３２２はストップボタン１３７〜１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダル及びベットされているメダル（ベットされているが、未だ遊技に使用されていないメダル）が精算されて払い出されることになる。メダル払い出しセンサ３２６は、払い出されるメダルを検出するためのセンサである。オーバーフローセンサ３２７は、メダル補助収納ケース２４０に収納されたメダルのオーバーフローを検出するためのセンサである。リセットスイッチ３２８は、ＲＡＭ３１３に記憶されている情報を初期化するためのスイッチである。
【００７２】
ＣＰＵ３１０には、更に、入力インタフェース３６１、出力インタフェース３７０及び３７１がアドレスデコード回路３５０を介してアドレスバスに接続されている。ＣＰＵ３１０は、これらのインタフェースを介して外部のデバイスと信号の送受信を行っている。
【００７３】
入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。
【００７４】
出力インタフェース３７０には、リールを駆動させるためのモータを制御するリールモータ駆動部３３０と、ホッパー（メダル払出装置１８０）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７、７セグ表示器等）が接続されている。
【００７５】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。
【００７６】
ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００７７】
＜副制御部＞
次に、図１２を用いて、スロットマシン１００の副制御部４００について説明する。なお、同図は副制御部４００の回路ブロック図を示したものである。
【００７８】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００７９】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００８０】
また、ＣＰＵ４１０には、副制御部４００の全体を制御するための命令及びデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００８１】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３に記憶されている情報を初期化するリセットスイッチ４２２が接続されている。
【００８２】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００８３】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。すなわち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払出口１５５の内側に設置されたストロボタイプのランプである。なお、ＣＰＵ４１０は、デマルチプレクサ４１９を介して、扉・液晶画面制御部４９０への信号送信を実施する。扉・液晶画面制御部４９０は、液晶表示装置１５７及び扉装置１６３を制御する制御部である。
【００８４】
＜遊技の基本的制御＞
図１３は、本実施形態のスロットマシン１００における遊技の基本的制御を示す主制御部メイン処理のフローチャートである。遊技の基本的制御は、主制御部３００のＣＰＵ３１０が中心になって行い、電源断等を検知しないかぎり、同図のステップＳ１０１からＳ１１０の処理を繰り返し実行する。
【００８５】
ステップＳ１０１では、メダル投入に関する処理を行う。ここでは、メダルの投入の有無をチェックし、投入されたメダルの枚数に応じて入賞ライン表示ランプ１２０を点灯させる。なお、前回の遊技で再遊技に入賞した場合はメダルの投入が不要である。
【００８６】
ステップＳ１０２では、遊技のスタート操作に関する処理を行う。ここでは、スタートレバー１３５が操作されたか否かのチェックを行い、スタート操作されたと判断した場合は、投入されたメダル枚数を確定する。また、副制御部４００に対してスタートレバー受付コマンドを送信する。副制御部４００は、このスタートレバー受付コマンドを受信することによって遊技の開始を把握する。
【００８７】
ステップＳ１０３では、有効な入賞ラインを確定する。
【００８８】
ステップＳ１０４では、乱数発生器３１１で発生させた乱数を取得する。
【００８９】
ステップＳ１０５では、ステップＳ１０４で取得した乱数値と、ＲＯＭ３１２に格納されている入賞役抽選テーブルの抽選データを用いて、入賞役の内部抽選を行う。内部抽選の結果、いずれかの入賞役に内部当選した場合、その入賞役のフラグが内部的にＯＮになる。また、副制御部４００に対して内部当選結果コマンドを送信する。例えば、再遊技当選、ＢＢ（ビッグボーナス）当選などの内部当選結果コマンドを送信する。副制御部４００は、この内部当選結果コマンドを受信することによって内部抽選の結果を把握する。
【００９０】
ステップＳ１０６では、リール回転開始処理により、全リール１１０〜１１２の回転を開始させる。
【００９１】
ステップＳ１０７では、ストップボタン１３７〜１３９の受け付けが可能となり、リール制御処理により、押されたストップボタン１３７〜１３９に対応するリール１１０〜１１２の回転を停止させる。この際、各リール１１０〜１１２を、ステップＳ１０５の入賞役内部抽選の結果に基づいて選択したリール停止制御データに従って停止させる。また、このステップＳ１０７では、副制御部４００に対して停止位置図柄コマンドを送信する。副制御部４００は、この停止位置図柄コマンドを受信することによって、各リール１１０〜１１２が、どの図柄位置で停止しているかを把握する。
【００９２】
ステップＳ１０８では、ストップボタン１３７〜１３９が押されることによって停止した図柄の入賞判定を行う。ここでは、有効ライン上に、内部当選した入賞役またはフラグ持越し中の入賞役に対応する入賞図柄組合せが揃った（表示された）場合にその入賞役に入賞したと判定する。例えば、有効ライン上に、「リプレイ−リプレイ−リプレイ」が揃っていたならば再遊技入賞と判定する。また、ステップＳ１０８では、副制御部４００に対して判定結果コマンドを送信する。例えば、本実施形態においては、ＢＢ入賞、再遊技入賞などの判定結果コマンドを送信する。副制御部４００は、この判定結果コマンドを受信することによって入賞の結果を把握する。
【００９３】
ステップＳ１０９では、メダル払出処理を行う。このメダル払出処理では、払い出し（配当）のある何らかの入賞役に入賞していれば、その入賞役に対応する枚数のメダルを払い出す。
【００９４】
ステップＳ１１０では、遊技状態制御処理を行う。遊技状態制御処理では、遊技状態を移行するための制御が行われ、例えば、ＢＢ入賞の場合に次回からＢＢ遊技を開始できるよう準備し、それらの最終遊技では、次回から通常遊技が開始できるよう準備する。また、ステップＳ１１０では、副制御部４００に対して現在の遊技状態を示す状態コマンドを送信する。副制御部４００は、この状態コマンドを受信することによって現在の遊技状態を把握する。
【００９５】
以上により１遊技が終了し、以降、ステップＳ１０１〜Ｓ１１０を繰り返すことにより遊技が進行することになる。
【００９６】
以上述べたように、本実施形態のスロットマシン１００のメダル補助収納ケース２４０は、ケース本体２５０とケース底板２６０とを備え、ケース本体２５０は、対向する長手側面上それぞれにＴ字状の案内孔２５４を形成し、ケース底板２６０の支持棒２６２を嵌合させるとともに、支持棒２６２を、底部を全閉状態とする第１の位置（Ｐ１）と、底部を一部開口状態とする第２の位置（Ｐ２，Ｐ３）との間で移動可能とし、第２の位置では、底部の開口位置が異なる複数のメダル排出孔２４３を形成する。また、支持棒２６２は両先端に抜止部材２６２ｂを突設しているため、支持棒２６２はケース本体から取り外し困難に支持されている。この結果、本実施形態のメダル補助収納ケース２４０によれば、ケース底板２６０の紛失を防ぐとともに、メダル自動回収装置９００の回収口９０１に合わせて、メダル排出口２４３の開口位置を柔軟に設定することができる。
【００９７】
また、変形例のメダル補助収納ケース２４０Ａによれば、案内孔１５４Ａ上に第２の位置を４箇所設けているので、メダル排出口２４３の開口位置をさらに柔軟に設定することができる。
【００９８】
（第２実施形態）
図１４は、第２実施形態のメダル補助収納ケース２４０Ｂの外観を示しており、図１４（ａ）は、メダル補助収納ケース２４０Ｂの外観斜視図、図１４（ｂ）は、ケース底板２６０Ｂの側面図及び下面図である。なお、以下においては、上記実施形態と異なる構成及び機能のみ説明し、その他の構成及び機能に関しては同一部位には同一符号を付して説明を省略する。
【００９９】
メダル補助収納ケース２４０Ｂは、ケース本体２５０Ｂと、一体成型化された樹脂製のケース底板２６０Ｂと、から構成されている。
【０１００】
ケース本体２５０Ｂは、上記実施形態と同様に、側面部２５１Ｂと底面部２５２を備えているが、側面部２５１Ｂの両短手側面２５１Ｂａ上には、それぞれ２つの挿通孔２５３が穿設されている。このため、メダル補助収納ケース２４０Ｂをスロットマシン１００の前面方向から本体１０１に設置する場合には、いずれの短手側面２５１Ｂを後方に向けても、本体１０１に配設することが可能である。
【０１０１】
また、側面部２５１Ｂの両長手側面２５１Ｂｂそれぞれには、対向位置にＬ字状の案内孔２５４Ｂが形成されており、ケース底板２６０Ｂの支持突起２６２Ｂが、この案内孔２５４Ｂに嵌合して、案内孔２５４Ｂ上を移動するようになっている。
【０１０２】
ケース底板２６０Ｂの外形は、図１４（ｂ）に示すように、ケース底板２６０と略同一であるが、支持棒２６２の代わりに、長手両側面中央からは外側に向けて支持突起２６２Ｂが支持部材として形成されており、また、支持突起２６２Ｂの両先端には、支持棒２６２Ｂを案内孔２５４Ｂ上から脱抜不可能とするための抜出突起２６２Ｂｂが突設されている。
【０１０３】
上記実施形態と同様に、メダル補助収納ケース２４０Ｂの底面を全閉状態とする場合には、図１４（ａ）に示すように、開口孔２４２上にケース底板２６０Ｂが載置されて、開口孔２４２は塞がれる。これに対して、ケース底板２６０Ｂの支持棒２６２Ｂが案内孔２５４Ｂの一端Ｐ２に係止して支持されるときは、図示しないが、上記実施形態と同様に、ケース底板２６０Ｂの係止突部２６３Ｂがケース本体２５０Ｂの前方側の短手側面２５１Ｂａの上端に係止されるので、底面部２５２の開口孔２４２の後方半分が開口されたメダル排出孔２４３が形成される。
【０１０４】
なお、底面部２５２の開口孔２４４の前方半分が開口されたメダル排出孔２４３を形成する場合には、図１４に示すメダル補助収納ケース２４０Ｂの本体１０１への配設方向を前後方向に１８０度回転させればよい。メダル補助収納ケース２４０Ｂを前後方向に１８０度回転させることにより、水平方向に形成された案内孔２５４Ｂｂは後方側に配置されるので、底面部２５２の開口孔２４４の前方半分が開口されたメダル排出孔２４３が形成される。
【０１０５】
このように本実施形態においては、ケース本体２５０Ｂの本体１０１への配設方向、及びケース底板２６０Ｂの配設位置に応じて、開口位置が異なる２つのメダル排出孔２４３を形成することができる。なお、本実施形態においては、２つのメダル排出孔２４３は、開口位置は前後に異なるが、開口面積は同一である。
【０１０６】
また、本実施形態においては、ケース底板２６０Ｂの支持棒２６２Ｂは、Ｌ字状の案内孔２５４Ｂ上、すなわち、ケース本体２５０Ｂの開口孔２４２を全閉とする第１位置（Ｐ１）からケース本体２５０Ｂの開口孔２４２を一部開口させる第２位置（Ｐ２）との間の経路上を移動可能となっているが、経路上ではケース本体２５０Ｂから脱抜不可能に構成しているので、ケース底板２６０Ｂを移動させて開口位置が異なるメダル排出孔２４３を形成しつつも、ケース底板２６０Ｂを紛失することがない。
【０１０７】
なお、本実施形態において、ケース底板２６０Ｂをケース本体２５０Ｂに取り付ける際には、ケース底板２６０Ｂをやや斜めにして、ケース本体２５０Ｂの開口２４１から、ケース本体２５０Ｂ内に挿入した後、案内孔２５４Ｂの上端Ｐ３に形成された円孔に、ケース底板２６０Ｂの支持棒２６２Ｂの両端を挿通して、支持棒２６２Ｂの両端が長手側面２５１Ｂｂの外側に突出した状態で、ケース底板２６０Ｂを案内孔２５４Ｂに沿って底面部２５２に載置することにより、図１４に示す取付状態とすることができる。すなわち、Ｐ３には、案内孔２５４Ｂの幅よりも大きな内径を有して、支持棒２６２Ｂの抜出突起２６２Ｂｂが挿通可能な円孔が形成されているので、このＰ３の円孔を介してケース底板２６０Ｂをケース本体２５０Ｂに嵌合して取り付ける。
【０１０８】
（第３実施形態）
図１５は、第３実施形態のメダル補助収納ケース２４０Ｃの外観を示しており、図１５（ａ）は、ケース底板２６０Ｃをケース本体２５０Ｃの底面部２５２に載置して、開口孔２４２を塞いだ状態のメダル補助収納ケース２４０Ｃの外観斜視図であり、図１５（ｂ）は、ケース底板２６０Ｃをケース本体２５０Ｃの側面部２５１Ｃに立てかけて、開口孔２４２を全開にして、メダル排出孔２４３を形成した状態のメダル補助収納ケース２４０Ｃの外観斜視図である。
【０１０９】
ケース本体２５０Ｃは、第２実施形態と同様に、側面部２５１Ｃの両短手側面２５１Ｃａ上には、それぞれ２つの挿通孔２５３が穿設されているため、メダル補助収納ケース２４０Ｃをスロットマシン１００の前面方向から本体１０１に設置する場合には、いずれの短手側面２５１Ｃを後方に向けても、本体１０１に配設することが可能である。
【０１１０】
ケース本体２５０Ｃの側面部２５１Ｃの両長手側面２５１Ｃｂそれぞれには、底面近傍の対向位置に波状の凹凸が長手方向に形成された案内孔２５４Ｃが穿設されており、ケース底板２６０Ｃの支持棒２６２Ｃは、この案内孔２５４Ｃに嵌合して、案内孔２５４Ｃ上を移動可能となっている。また、ケース底板２６０Ｃの支持棒２６２Ｃは、案内孔２５４Ｃの凹部に係止可能となっているので、ケース底板２６０Ｃは支持棒２６２Ｃを中心に上下方向に回動して、ケース本体２５０Ｃに傾斜して支持されることも可能である。
【０１１１】
ケース底板２６０Ｃの外形は、上記実施形態のケース底板２６０及び２６０Ｂと略同一であるが、支持棒２６２Ｃが長手側面の一端に挿設されている点、係止突部２６３がない点において、ケース底板２６０及び２６０Ｂと異なっている。なお、支持棒２６２Ｃの両先端には、抜止部材が突設されているので、上記実施形態と同様に、支持棒２６２Ｃは案内孔２５４Ｃ上を脱抜不可能となっている。
【０１１２】
メダル補助収納ケース２４０Ｃの底面を全閉状態とする場合には、図１５（ａ）に示すように、ケース底板２６０Ｃの一端に挿通された支持棒２６２Ｃを案内孔２６２Ｃの最後方に位置付けるとともに、ケース底板２６０Ｃを開口孔２４２上に載置して、開口孔２４２を塞ぐ。
【０１１３】
一方、メダル補助収納ケース２４０Ｃの底面を全開状態とする場合には、図１５（ｂ）に示すように、ケース底板２６０Ｃの一端に挿通された支持棒２６２Ｃを案内孔２５４Ｃの最前方に位置付けるとともに、ケース底板２６０Ｃの他端をケース本体２５０Ｃの短手側面２５１Ｃａ上に係止することにより、開口孔２４２全体をそのまま露出させ、メダル排出孔２４３とすることができる。勿論、支持棒２６２Ｃを案内孔２５４Ｃの端以外の所定位置に係止すれば、支持棒２６２Ｃの位置に応じて、メダル排出孔２４３の位置及び大きさを変化させることが可能である。
【０１１４】
このように本実施形態においては、ケース底板２６０Ｃの配設位置に応じて、開口位置及び開口面積が異なる複数のメダル排出孔２４３を形成することができる。特に案内孔２５４Ｃを長手方向に沿って波状の凹凸形状に形成し、案内孔２５４Ｃ上にケース底板２６０Ｃを係止可能な位置を多数設けたので、よりきめ細やかにメダル排出孔２４３の位置及び大きさを決定することができる。
【０１１５】
また、本実施形態においては、ケース底板２６０Ｃの支持棒２６２Ｃは、波状の凹凸を形成した案内孔２５２Ｃ上を移動可能となっているが、移動経路上ではケース本体２５０Ｃから脱抜不可能に構成しているので、ケース底板２６０Ｃを移動させて開口位置が異なる多様なメダル排出孔２４３を形成しつつも、ケース底板２６０Ｃを紛失することがない。
【０１１６】
（第４実施形態）
図１６は、第４実施形態のメダル補助収納ケース２４０Ｄの外観を示しており、図１６（ａ）は、ケース底板２６０Ｄをケース本体２５０Ｄの底面部２５２に載置して、開口孔２４２を塞いだ状態のメダル補助収納ケース２４０Ｄの外観斜視図であり、図１６（ｂ）は、ケース底板２６０Ｄをケース本体２５０Ｄの側面部２５１Ｄに立てかけて、開口孔２４２の一部をメダル排出孔２４３とした状態のメダル補助収納ケース２４０Ｄの外観斜視図であり、図１６（ｃ）は、ケース底板２６０Ｄをケース本体２５０Ｄの側面部２５１Ｄに立てかけたときのケース底板２６０Ｄの傾斜姿勢を示す側面透視図である。
【０１１７】
ケース本体２５０Ｄは、第２及び第３実施形態と同様に、側面部２５１Ｄの両短手側面２５１Ｄａ上には、それぞれ２つの挿通孔２５３が穿設されているため、メダル補助収納ケース２４０Ｄをスロットマシン１００の前面方向から本体１０１に設置する場合には、いずれの短手側面２５１Ｃを後方に向けても、本体１０１に配設することが可能である。
【０１１８】
ケース本体２５０Ｄの側面部２５１Ｄの両長手側面２５１Ｃｂそれぞれには、底面近傍の対向位置に直線状の案内孔２５４Ｄが長手方向に形成されており、ケース底板２６０Ｄの支持棒２６２Ｄは、この案内孔２５４Ｄに嵌合して、案内孔２５４Ｃ上を移動可能となっている。
【０１１９】
また、ケース本体２５０Ｄの一方の短手側面２５１Ｄａには、高さが異なる複数（本実施形態では４つ）の段状係止片２５６が突設されており、ケース底板２６０Ｄの一端が段状係止片２５５に係止されるようになっている。なお、図１６には図示していないが、ケース底板２６０Ｄの一端、及び段状係止片２５６は、係止を強化する構造となっている（例えば、お互いが鉤状となっているなど）。
【０１２０】
ケース底板２６０Ｄは、第３実施形態のケース底板２６０Ｃと略同一であり、支持棒２６２Ｄが長手側面の一端に挿設されているとともに、支持棒２６２Ｄの両先端には、抜止部材が突設されているので、支持棒２６２Ｄは案内孔２５４Ｄ上を脱抜不可能となっている。
【０１２１】
メダル補助収納ケース２４０Ｄの底面を全閉状態とする場合には、図１６（ａ）に示すように、ケース底板２６０Ｄの一端に挿通された支持棒２６２Ｄを案内孔２６２Ｄの前方一端Ｐ１に位置付けるとともに、ケース底板２６０Ｄを開口孔２４２上に載置して、開口孔２４２を塞ぐ。
【０１２２】
一方、メダル補助収納ケース２４０Ｄの底面を開口状態とする場合には、図１６（ｂ）に示すように、ケース底板２６０Ｄの一端に挿通された支持棒２６２Ｄを案内孔２５４Ｄの中間所定位置Ｐ３に位置付けるとともに、ケース底板２６０Ｄの他端をケース本体２５０Ｄの短手側面２５１Ｄａ上に突設された段状係止片２５６に係止することにより、開口孔２４２の前方側一部をメダル排出孔２４３とすることができる。
【０１２３】
このとき、ケース底板２６０Ｄの他端をいずれの段状係止片２５６に係止させるかで、図１６（ｃ）に示すように、ケース底板２６０Ｄの傾斜姿勢及びメダル排出孔２４３の開口位置及び開口面積が決定される。具体的には、図１６に示すように後方側の短手側面２５１Ｄａに段状係止片２５６が形成されている場合には、開口孔２４２の前方側一部をメダル排出孔２４３として形成可能であり、ケース底板２６０Ｄをより高い位置の段状係止片２５６に係止することで、メダル排出孔２４３の開口面積はより大きく形成される。
【０１２４】
なお、底面部２５２の開口孔２４２の後方が開口されたメダル排出孔２４３を形成する場合には、図１６に示すメダル補助収納ケース２４０Ｄの本体１０１への配設方向を前後方向に１８０度回転させて設置すればよい。この場合には、段状係止片２５６突設された短手側面２５１Ｅａは前方側に配置されるので、底面部２５２の開口孔２４２の後方が開口されたメダル排出孔２４３が形成される。
【０１２５】
このように本実施形態においては、ケース本体２５０Ｄの本体１０１への配設方向、及びケース底板２６０Ｄの配設位置に応じて、開口位置及び開口面積が異なる複数のメダル排出孔２４３を形成することができる。
【０１２６】
また、本実施形態においては、ケース底板２６０Ｄの支持棒２６２Ｄは、直線状の案内孔２５４Ｄ上を移動可能となっているが、ケース本体２５０Ｄから脱抜不可能に構成しているので、メダルケース底板２６０Ｄを移動させて複数の異なるメダル排出孔２４３を形成しつつも、ケース底板２６０Ｄを紛失することがない。
【０１２７】
（第５実施形態）
図１７は、第５実施形態のメダル補助収納ケース２４０Ｅの外観を示しており、図１７（ａ）は、２つのケース底板２６０Ｅをケース本体２５０Ｅの底面部２５２に載置して、開口孔２４２を塞いだ状態のメダル補助収納ケース２４０Ｅの外観斜視図であり、図１７（ｂ）は、２つのケース底板２６０Ｅをケース本体２５０Ｅの側面部２５１Ｅに立てかけて、開口孔２４２の一部をメダル排出孔２４３とした状態のメダル補助収納ケース２４０Ｅの外観斜視図であり、図１７（ｃ）は、ケース底板２６０Ｅをケース本体２５０Ｅの側面部２５１Ｅに立てかけたときのケース底板２６０Ｅの傾斜姿勢を示す側面透視図である。
【０１２８】
メダル補助収納ケース２４０Ｅは、第４実施形態のメダル補助収納ケース２４０Ｄと略同一の構成をしているが、２つのケース底板２６０Ｅを備える点、段状係止片２５６を両短手側面２５１Ｅａ双方に備えている点が、メダル補助収納ケース２４０Ｄと異なっている。
【０１２９】
すなわち、ケース本体２５０Ｅの２つの短手側面２５１Ｅａには、高さが異なる複数（本実施形態では３つ）の段差係止片２５５がそれぞれ突設されており、ケース底板２６０Ｅの一端が段状係止片２５６に係止されるようになっている。
【０１３０】
また、ケース底板２６０Ｅは、第４実施形態のケース底板２６０Ｄと略同一の形状であるがその大きさはケース底板２６０Ｄの約半分である。すなわち、各ケース底板２６０Ｅは、長手側面の一端に支持棒２６２Ｅが挿設されているとともに、支持棒２６２Ｅの両先端には、抜止部材が突設されているので、２つの支持棒２６２Ｅは案内孔２５Ｄ上を脱抜不可能となっている。
【０１３１】
メダル補助収納ケース２４０Ｅの底面を全閉状態とする場合には、図１７（ａ）に示すように、一方のケース底板２６０Ｅの一端に挿通された支持棒２６２Ｅを案内孔２６２Ｅの略中央Ｐ１に位置付けるとともに、ケース底板２６０Ｅを開口孔２４２の前方半分上に載置して、開口孔２４２の前方半分を塞ぐ。また、他方のケース底板２６０Ｅの一端に挿通された支持棒２６２Ｅを案内孔２６２Ｅの略中央Ｐ２に位置付けるとともに、ケース底板２６０Ｅを開口孔２４２の後方半分上に載置して、開口孔２４２の後方半分を塞ぐ。この結果、ケース底板２６０Ｅの開口孔２４２は塞がれて、メダル補助収納ケース２４０Ｅの底面は全閉状態となる。
【０１３２】
一方、メダル補助収納ケース２４０Ｅの底面を開口状態とする場合には、図１７（ｂ）に示すように、一方のケース底板２６０Ｅの一端に挿通された支持棒２６２Ｅを案内孔２５４Ｄの中間所定位置Ｐ３に位置付けるとともに、ケース底板２６０Ｅの他端をケース本体２５０Ｅの前方側の短手側面２５１Ｅａ上に突設された段状係止片２５６に係止する。また、他方のケース底板２６０Ｅの一端に挿通された支持棒２６２Ｅを案内孔２５４Ｄの中間所定位置Ｐ４に位置付けるとともに、ケース底板２６０Ｅの他端をケース本体２５０Ｅの後方側の短手側面２５１Ｅａ上に突設された段状係止片２５６に係止する。この結果、開口孔２４２の中央一部をメダル排出孔２４３とすることができる。
【０１３３】
本実施形態においては第４実施形態と同様に、２つのケース底板２６０Ｅの支持棒２６２Ｅが挿設されていない一端をいずれの段状係止片２５６に係止するかで、図１７（ｃ）に示すように、２つのケース底板２６０Ｅの傾斜姿勢及びメダル排出孔２４３の開口位置及び開口面積が決定される。具体的には、２つのケース底板２６０Ｅをより高い位置の段状係止片２５６に係止することで、メダル排出孔２４３の開口面積はより大きく形成される。
【０１３４】
なお、本実施形態においては、段状係止片２５６を両短手側面２５１Ｅａ双方に備えて、２つのケース底板２６０Ｅを備えているため、メダル排出孔２４３の開口位置及び開口面積は、第４実施形態と比べて、より多様性を有するものである。図１８に、ケース底板２６０Ｅの傾斜姿勢とメダル排出孔２４３の開口位置を対応させた図を示す。ここで、図１８（ａ）は、２つのケース底板２６０Ｅを開口孔２４２上に載置して、メダル排出孔２４３を形成しない場合、図１８（ｂ）は、一方のケース底板２６０Ｅを最上段（下から三段目）に係止し、他方のケース底板２６０Ｅを開口孔２４２上に載置した場合、図１８（ｃ）は、一方のケース底板２６０Ｅを中段（下から二段目）に係止し、他方のケース底板２６０Ｅを最下段（下から一段目）に係止した場合、図１８（ｄ）は、２つのケース底板２６０Ｅをそれぞれ中段（下から二段目）に係止した場合を示している。
【０１３５】
このように本実施形態においては、ケース本体２５０Ｅの２つのケース底板２６０Ｅの配設位置に応じて、開口位置及び開口面積が異なる複数のメダル排出孔２４３を形成することができる。
【０１３６】
また、本実施形態においては、２つのケース底板２６０Ｅの支持棒２６２Ｅは、直線状の案内孔２５２Ｅ上を移動可能となっているが、ケース本体２５０Ｅから脱抜不可能に構成しているので、２つのケース底板２６０Ｅを移動させて多様なメダル排出孔２４３を形成しつつも、ケース底板２６０Ｅを紛失することがない。
【０１３７】
さらには、本実施形態においては、上記実施形態では露出していたケース本体の底面部における長手方向端部が、２つのケース底板２６０Ｅによって遮蔽されているので、メダル補助収納ケース２４０Ｅに落ちてくるメダルは確実にメダル排出孔２４３に案内され、メダル自動回収装置９００に回収されるようになっている。すなわち、上記実施形態では、ケース本体の底面部の長手方向一端（ケース底板が係止されていない側）には、メダルが貯留してしまう可能性があったが、本実施形態においては、ケース本体の底面部の長手方向の両端には、２つのケース底板２６０Ｅが存在し、かつ、２つのケース底板２６０Ｅが傾斜配設されているので、メダル補助収納ケース２４０Ｅに収容されるメダルは確実にメダル排出孔２４３に案内されるようになっている。
【０１３８】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【０１３９】
【図１】本発明の一実施形態に係るスロットマシンの外観を示す斜視図である。
【図２】本発明の一実施形態に係るスロットマシンの前面扉を開放した状態の斜視図である。
【図３】（ａ）は、本発明の一実施形態に係るスロットマシンのメダル払出装置の外観斜視図、（ｂ）は、メダル払出装置の一部を欠截した断面斜視図である。
【図４】本発明の一実施形態に係るスロットマシンの内部に配設されたメダル払出装置及びメダル補助収納ケースを右側から見たときの側面図である。
【図５】本発明の一実施形態に係るスロットマシンのメダル補助収納ケースの外観斜視図である。
【図６】（ａ）は、本発明の一実施形態に係るスロットマシンのメダル補助収納ケースを本体に設置した状態の外観斜視図、（ｂ）は、メダル補助収納ケースを本体から取り外した状態の外観斜視図である。
【図７】本発明の一実施形態に係るスロットマシンのメダル補助収納ケース及び本体底板の開口位置とメダル自動回収装置の回収口との位置関係を示す側面図であり、（ａ）は、前方位置にメダル自動回収装置の回収口が配設される場合、（ｂ）は、後方位置にメダル自動回収装置の回収口が配設される場合を示している。
【図８】本発明の一実施形態に係るスロットマシンのメダル補助収納ケースのケース底板の外観図であり（ａ）は、ケース底板の外観斜視図、側面図、及び下面図であり、（ｂ）は、ケース底板の支持棒の分解斜視図である。
【図９】本発明の一実施形態に係るスロットマシンのメダル補助収納ケースのケース底板が底面にメダル排出孔を形成している状態を示す図であり、図９（ａ）は、後方底面にメダル排出孔を形成している状態のメダル補助収納ケース２４０の外観斜視図、図９（ｂ）は、前方底面及び後方底面にメダル排出孔を形成したときのケース底板のそれぞれの位置を示す側面図及びメダル排出孔の位置を示す上面図である。
【図１０】本発明の一実施形態に係るスロットマシンのメダル補助収納ケースの変形例において、ケース底板が底面にメダル排出孔を形成している状態を示す図である。
【図１１】本発明の一実施形態に係るスロットマシンの主制御部の回路構成を示すブロック図である。
【図１２】本発明の一実施形態に係るスロットマシンの副制御部の回路構成を示すブロック図である。
【図１３】本発明の一実施形態に係るスロットマシンの主制御部メイン処理を示すフローチャートである。
【図１４】本発明の別の実施形態（第２実施形態）に係るメダル補助収納ケースの外観を示す図であり、（ａ）は、メダル補助収納ケースの外観斜視図、（ｂ）は、メダル補助収納ケースの側面図及び下面図である。
【図１５】本発明の別の実施形態（第３実施形態）に係るメダル補助収納ケースの外観を示す図であり、（ａ）は、ケース底板をケース本体の底面部に載置して、開口孔を塞いだ状態のメダル補助収納ケースの外観斜視図であり、（ｂ）は、ケース底板をケース本体の側面部に立てかけて、開口孔を全開にして、メダル排出孔を形成した状態のメダル補助収納ケースの外観斜視図である。
【図１６】本発明の別の実施形態（第４実施形態）に係るメダル補助収納ケースの外観を示す図であり、（ａ）は、ケース底板をケース本体の底面部に載置して、開口孔を塞いだ状態のメダル補助収納ケースの外観斜視図であり、（ｂ）は、ケース底板をケース本体の側面部に立てかけて、開口孔の一部をメダル排出孔とした状態のメダル補助収納ケースの外観斜視図であり、（ｃ）は、ケース底板をケース本体の側面部に立てかけたときのケース底板の傾斜姿勢を示す側面透視図である。
【図１７】本発明の別の実施形態（第５実施形態）に係るメダル補助収納ケースの外観を示す図であり、（ａ）は、２つのケース底板をケース本体の底面部に載置して、開口孔を塞いだ状態のメダル補助収納ケースの外観斜視図であり、（ｂ）は、２つのケース底板をケース本体の側面部に立てかけて、開口孔の一部をメダル排出孔とした状態のメダル補助収納ケースの外観斜視図であり、（ｃ）は、ケース底板をケース本体の側面部に立てかけたときのケース底板の傾斜姿勢を示す側面透視図である。
【図１８】本発明の別の実施形態（第５実施形態）に係るメダル補助収納ケースにおいて、ケース底板の傾斜姿勢とメダル排出孔の開口位置を対応させた図である。
【図１】
2010069028.tif 000003
【図２】
2010069028.tif 000004
【図３】
2010069028.tif 000005
【図４】
2010069028.tif 000006
【図５】
2010069028.tif 000007
【図６】
2010069028.tif 000008
【図７】
2010069028.tif 000009
【図８】
2010069028.tif 000010
【図９】
2010069028.tif 000011
【図１０】
2010069028.tif 000012
【図１１】
2010069028.tif 000013
【図１２】
2010069028.tif 000014
【図１３】
2010069028.tif 000015
【図１４】
2010069028.tif 000016
【図１５】
2010069028.tif 000017
【図１６】
2010069028.tif 000018
【図１７】
2010069028.tif 000019
【図１８】
2010069028.tif 000020